Podtech/llm-jp-corpus-v4-ja_patent huggingface dataset:
(57)【要約】      （修正有）【課題】放熱効率に優れ、軽くて低価格の発光ダイオートモジュール用冷却放熱フィンを提供する。【解決手段】円筒容器状の本体１の周囲にヒダ１５を備えた冷却放熱フィンであって、ヒダ１５の凸部に凸部の放熱穴１３、ヒダ１５の凹部に、凹部放熱穴１２が備えることにより、内部にこもった熱を効率よく外に逃がすようにした。【選択図】図１
0003172624.tif 000002
【実用新案登録請求の範囲】
【請求項１】
円筒容器状の本体１１の周囲にヒダ１５を備えた冷却放熱フィンであって、ヒダ１５の凸部に凸部の放熱穴１３、ヒダ１５の凹部に、凹部の放熱穴１２を備えることにより、内部にこもった熱を効率よく外に逃がすようにしたことを特徴とする発光ダイオードモジュール用冷却放熱フィン。
【請求項２】
前記ヒダ１５の側面に放熱穴を備えたことを特徴とする請求項１記載の発光ダイオードモジュール用冷却放熱フィン。
【考案の詳細な説明】
【技術分野】
【０００１】発光ダイオードモジュール用の冷却放熱フィンに関する。
【背景技術】
【０００２】従来はダイキャスト製の冷却放熱フィンであった。ダイキャスト製の冷却放熱フィンでは重いという欠点があった。
【先行技術文献】
【特許文献】
【０００３】
【特許文献１】実用新案登録第３１５４８３７号公報
【考案の概要】
【考案が解決しようとする課題】
【０００４】ダイキャスト製の冷却放熱フィンでは放熱効率が悪いため、発光ダイオードの輝度が上がるほど、冷却放熱フィンを大きくする必要があり、全体重量も重くなっていた。
【課題を解決するための手段】
【０００５】円筒容器状の本体１１の周囲にヒダ１５を備えた冷却放熱フィンであって、ヒダ１５の凸部に凸部の放熱穴１３、ヒダ１５の凹部に、凹部の放熱穴１２が備えることにより、内部にこもった熱を効率よく外に逃がすようにしたことを特徴とする発光ダイオードモジュール用冷却放熱フィン。【０００６】前記ヒダ１５の側面に放熱穴を備えたことを特徴とする発光ダイオードモジュール用冷却放熱フィン。
【考案の効果】
【０００７】ダイキャスト製品よりも放熱効率に優れており、軽くて低価格の冷却放熱フィンを実現できる。
【図面の簡単な説明】
【０００８】
【図１】本考案の発光ダイオードモジュール用冷却放熱フィンの構成（斜上方斜視図）
【図２】本考案の発光ダイオードモジュール用冷却放熱フィンの構成（右下方斜視図）
【考案を実施するための形態】
【０００９】図１と図２は、本考案の発光ダイオードモジュール用冷却放熱フィンの構成を示す。
図１は斜上方斜視図、図２は右下方斜視図である。
本考案の発光ダイオードモジュール用の冷却放熱フィン１は、略円板状のアルミ板に、複数のスリット状の放熱穴を、放射状に切り抜いた後に、プレス成形で円筒容器状に底辺から先端部に至る複数条のヒダができるように絞る。
【００１０】このヒダは、ヒダ１５の外側（凸部）に、凸部の放熱穴１３、ヒダ１５の内側（凹部）に、凹部の放熱穴１２を配置するように絞られる。
ヒダ１５の外側（凸部）の凸部の放熱穴１３により内部にこもった熱を外に逃がすることができる。さらに、ヒダの内側（凹部）にも、凹部の放熱穴１２を設けているので、発光ダイオードモジュール２の熱により冷却放熱フィン１の内部にこもった熱を、より外部に放熱させることができる。
また、ヒダ１５の両側面に放熱穴を備えることにより、冷却放熱フィン１の内部にこもった熱をより一層、外に放出できる。
冷却放熱フィン１の本体１１はアルミで構成され、そのアルミの純度が高くなる程、放熱効果が高くなる。また、本体１１のアルミにアルマイト処理を行うと、より放熱効果が高くなる。
【００１１】本体１１の円筒容器状の開口部を、円筒容器状の底面より外側に開くように絞ることにより、外部への放熱を増加させ、逆に、円筒容器状の開口部を、円筒容器状の底の底面より内側に絞ることにより、小さい形状の冷却放熱フィンを構成できる。このように状況に応じて冷却放熱フィンの形状を変更することもできる。
【００１２】冷却放熱フィンは厚さが薄いアルミ等の素材で構成されているので、冷却放熱フィンの円筒容器状の本体１１の底の内側に、発光ダイオードモジュール２を取り付けるために、円板状の取り付け板１４（図の表示なし）を備える。この取り付け板１４と、本体１１と、発光ダイオードモジュール２とを、発光ダイオードモジュール２の熱が本体に効率よく伝わるように、ビスなどで締め付けて一体固定する。
発光ダイオードモジュール２の電源は、冷却放熱フィン１の内部を通ってケーブル３により供給される。
【００１３】
【産業上の利用可能性】
【００１４】発光ダイオードモジュール用の高効率・低コスト冷却放熱フィンを提供する。
【符号の説明】
【００１５】１    冷却放熱フィン
１１  本体
１２  凹部の放熱穴
１３  凸部の放熱穴
１４  取り付け板
１５  ヒダ
２    発光ダイオードモジュール
３    ケーブル
【図１】
0003172624.tif 000003
【図２】
0003172624.tif 000004
(57)【要約】      （修正有）【課題】グラウンドゴルフ競技者が、競技中スコアカードに記録するとき、手に持っている自分の競技用クラブが邪魔になり記録が大変困難なので、スコアカードの記入を両手でできるようにするクラブホルダーを提供する。【解決手段】ベルト挟み用平バネ１にロープ保持部２を設け、ロープ３の両端をＵ字形に差込み固着し、クラブを吊下げるロープ部として、グラウンドゴルフ用ホルダーとする。腰のベルトに装着するベルト挟み用平バネ１は、横ずれしない程度のバネ圧とし、クラブ不使用時には、Ｕ字形ロープ３をクラブヘッドで押し広げるか、クラブシャフトを上から挿通して吊下げる。【選択図】図２
0003172623.tif 000002
【実用新案登録請求の範囲】
【請求項１】
ベルト挟み用平バネ（１）にロープ保持部（２）を設け、ロープ（３）を接続し、クラブシャフト吊下げ用とした、以上の構成を有する、グラウンドゴルフ用クラブホルダー。
【考案の詳細な説明】
【技術分野】
【０００１】  本考案は、グラウンドゴルフ競技中、スコアーカードに得点を記録するとき等、自分のクラブを手に持たず、自由に両手を使えるようにするホルダーに関するものである。
【背景技術】
【０００２】  従来は、競技用具一式を保持するホルダーは有ったが、多目的に過ぎ、構造が複雑で嵩張り、使用しづらく一般的に普及していない。
【考案の概要】
【考案が解決しようとする課題】
【０００３】  グラウンドゴルフでは殆どの場合、競技者自身が記録員を兼ねてチーム全員の成績をその都度スコアーカードに記録する。その場合自分のクラブを手に持っていると、クラブが邪魔になりスコアカードの記入が困難であった。従来では、クラブだけを収納する簡易なホルダーがなく、地面に置いたり、同じチームの他の競技者に一時的に預けたり、面倒で速やかなゲーム進行の妨げとなっていた。本考案はこの問題点を解決するためになされたものである。
【課題を解決するための手段】
【０００４】  ベルト挟み用平バネ（１）にロープ保持部（２）を設け、ロープ（３）の両端をＵ字形に差込み固着し、クラブを吊下げるロープ部とする、以上の構成を有する、グラウンドゴルフ用ホルダーである。
【考案の効果】
【０００５】  本考案を使用する事により、スコアーカードに記録のとき他を煩わすことなく、両手が自由に使え迅速に記録することができ、シンプルな構造のため動きやすく、次のホールに速やかに移動することができるので円滑なゲーム運びができる。
【図面の簡単な説明】
【０００６】
【図１】本考案のグラウンドゴルフ用クラブホルダーを示す正面図である。
【図２】本クラブホルダーの実施例を示す側面図である。
【考案を実施するための形態】
【０００７】  本考案の実施の形態を説明する。腰のベルトに装着する、ベルト挟み用平バネ（１）は横ずれしない程度のバネ圧とし、Ｕ字形ロープ（３）をクラブヘッドで押し広げるか、クラブシャフトを上から挿通して吊下げる。
【符号の説明】
【０００８】１  ベルト挟み用平バネ
２  ロープ保持部
３  ロープ
４  ベルト
【図１】
0003172623.tif 000003
【図２】
0003172623.tif 000004
(57)【要約】【課題】表示パネルへの着脱が容易であり、表示パネルのリサイクルを阻害することのないパネル立てを提供すること。【解決手段】表示パネル２０に装着され、その表示パネルを起立状態に保持するパネル立て１０であって、表示パネルの下側面２１に突き刺し可能な針状体１４を有し、針状体１４を表示パネルの下側面２１に突き刺すことにより表示パネルに着脱可能に装着される。【選択図】図２
0003172673.tif 000002
【実用新案登録請求の範囲】
【請求項１】
表示パネルに装着され、その表示パネルを起立状態に保持するパネル立てであって、
表示パネルの下側面に突き刺し可能な針状体を有し、前記針状体を表示パネルの下側面に突き刺すことにより表示パネルに着脱可能に装着されるパネル立て。
【請求項２】
表示パネルの下側面を支持する下側面支持部と、表示パネルの裏面を支持する裏面支持部とを有し、前記下側面支持部と前記裏面支持部は一体に形成されるとともに、前記針状体は前記下側面支持部の上面に形成されている請求項１に記載のパネル立て。
【請求項３】
前記裏面支持部の裏面から後方に延びる脚部を有し、前記脚部は、表示パネルの設置面に接する起立面を有する請求項２に記載のパネル立て。
【考案の詳細な説明】
【技術分野】
【０００１】
本考案は、主として、広告宣伝用あるいは掲示用に使用される表示パネルを起立状態に保持するパネル立てに関する。
【背景技術】
【０００２】
広告宣伝用あるいは掲示用に使用される表示パネルは、卓上やカウンター、あるいは展示会、ショールーム等の床面において起立状態に保持して使用される。そして、表示パネルを起立状態に保持するためにパネル立てが使用される。
【０００３】
従来、パネル立てとしては、例えば特許文献１〜３に見られるように各種構造のものが提案されている。
【０００４】
ところが、従来のパネル立ては、概して構造が複雑であり、表示パネルへの装着が困難であった。また、パネル立てを表示パネルに装着する際に、接着剤やボルト等の固定具を使用した場合、パネル立ての取り外しが困難であり、表示パネルをリサイクルしようとしても、特にパネル立てが表示パネルと異材質であると、リサイクルが困難であった。
【先行技術文献】
【特許文献】
【０００５】
【特許文献１】特開２０１１−９５３４６号公報
【特許文献２】登録実用新案第３１５４４５８号公報
【特許文献３】登録実用新案第３０３２３１５号公報
【考案の概要】
【考案が解決しようとする課題】
【０００６】
本考案が解決しようとする課題は、表示パネルへの着脱が容易であり、表示パネルのリサイクルを阻害することのないパネル立てを提供することにある。
【課題を解決するための手段】
【０００７】
本考案のパネル立ては、表示パネルに装着され、その表示パネルを起立状態に保持するパネル立てであって、表示パネルの下側面に突き刺し可能な針状体を有し、前記針状体を表示パネルの下側面に突き刺すことにより表示パネルに着脱可能に装着されることを特徴とするものである。
【考案の効果】
【０００８】
本考案のパネル立ては、針状体を表示パネルの下側面に突き刺すだけで表示パネルに装着でき、針状体を表示パネルの下側面から抜き取るだけで表示パネルから取り外すことができる。このように本考案のパネル立ては、表示パネルへの着脱が容易であり、このため表示パネルのリサイクルも容易に行うことができる。
【図面の簡単な説明】
【０００９】
【図１】本考案のパネル立てを示す斜視図である。
【図２】図１のパネル立てを表示パネルに装着した状態を示す側面図である。
【図３】図１のパネル立ての使用状態を示す斜視図である。
【考案を実施するための形態】
【００１０】
以下、図面に示す実施例に基づき本考案の実施の形態を説明する。
【００１１】
図１は本考案のパネル立てを示す斜視図、図２は図１のパネル立てを表示パネルに装着した状態を示す側面図、図３はその使用状態を示す斜視図である。
【００１２】
パネル立て１０は、プラスチック製（実施例はポリスチレン製）であり、表示パネル２０の下側面２１を支持する下側面支持部１１と、表示パネル２０の裏面２２を支持する裏面支持部１２と、裏面支持部１２の裏面から後方に延びる脚部１３とが一体に形成されてなる。そして、下側面支持部１１の上面に複数の針状体１４が一体に形成されている。
【００１３】
表示パネル２０は、パネル立て１０と同材質のプラスチック製であり、実施例の表示パネル２０は、発泡ポリスチレンのパネル本体２０ａに、これと同材質のポリスチレンシート２０ｂを熱融着してなる。
【００１４】
パネル立て１０は、その針状体１４を表示パネル２０（パネル本体２０ａ）の下側面に突き刺すことにより表示パネルに着脱可能に装着される。上述のとおり、パネル本体２１は発泡樹脂（発泡ポリスチレン）であるため、針状体１４を容易に突き刺し、また抜き取ることができる。
【００１５】
パネル立て１０の使用状態では、図２及び図３に示すように、下側面支持部１１が表示パネル２０の下側面２１、裏面支持部１２が表示パネル２０の裏面２２をそれぞれ支持するとともに、脚部１３底部の起立面１３ａが表示パネル２０の設置面に面接触することで、表示パネル２０が起立状態で保持される。
【００１６】
以上のようにパネル立て１０は、その針状体１４を表示パネル２０の下側面２１に突き刺すだけで表示パネルに装着でき、針状体１４を表示パネル２０の下側面２１から抜き取るだけで表示パネル２０から取り外すことができる。このように、パネル立て１０は、表示パネル２０への着脱が容易であり、このため表示パネル２０のリサイクルも容易に行うことができる。
【００１７】
また、実施例のパネル立て１０は、表示パネル２０と同材質のプラスチック製であるため、リサイクルの際は分離する必要がなく、より容易にリサイクルを行うことができる。
【符号の説明】
【００１８】
１０  パネル立て
１１  下側面支持部
１２  裏面支持部
１３  脚部
１３ａ  起立面
１４  針状体
２０  表示パネル
２０ａ  パネル本体
２０ｂ  ポリスチレンシート
２１  下側面
２２  裏面
【図１】
0003172673.tif 000003
【図２】
0003172673.tif 000004
【図３】
0003172673.tif 000005
(57)【要約】      （修正有）【課題】ケースが回転しても、ケース内に携帯している紙幣等が外部から見えないＩＤカードケースを提供する。【解決手段】ＩＤケース側吊り下げ穴２３と物入れ部側吊り下げ穴３３とを貫通するように、吊り下げ紐を通して、ＩＤカードケース１０を使用する。ＩＤカード装入部２０のＩＤカード非表示面側と、物入れ部３０の開口３８を備えた側とが面して向き合って折りたたまれているＩＤカードケース１０を開けた。開口３８より、紙幣とメモを記した紙片とを装入し、ＩＤカードケース１０を閉じ、元の状態とする。上記状態で、ＩＤカードケース１０を首から下げて使用する。使用中に、ＩＤカードケース１０のＩＤカード表示面側ＩＤカード装入部が使用者の身体側に向き、身体側物入れ部のみが他人から認識される状態になる。【選択図】図２
0003172801.tif 000002
【実用新案登録請求の範囲】
【請求項１】
ＩＤカード装入部のＩＤカード非表示面側と物入れ部とが向き合うように折りたたんで配置されるＩＤカードケースにおいて、
物入れ部がＩＤカード装入部側に面した側に開口を備えることを特徴とするＩＤカードケース。
【考案の詳細な説明】
【技術分野】
【０００１】  本考案は、物を入れることができるＩＤカードケースに関するものである。
【背景技術】
【０００２】  近年、他人に自己の身分を示すために、身分証明書を収納したＩＤカードケースを首から吊り下げる方法が用いられるようになった。【０００３】  このように首から吊り下げているＩＤカードケースに、小銭・メモ内容を記した紙片等を入れて携帯することは、便利である。このため、小銭等がこぼれることを防止できる、チャック付きのＩＤカードケースは、既に開発されている。表裏面が透明シートで形成され、上部にチャックを備えたＩＤカードケースの一例が、次のホームページに見られる。
【先行技術文献】
【非特許文献】
【０００４】
【非特許文献１】コクヨホームページ、コクヨＳ＆Ｔトップページ＞商品情報＞名札を選ぼう（ｈｔｔｐ：／／ｗｗｗ．ｋｏｋｕｙｏ−ｓｔ．ｃｏ．ｊｐ／ｓｔａｔｉｏｎｅｒｙ／ｎａｍｅ／ｓｅｌｅｃｔｉｏｎＧｕｉｄｅ／ｉｎｄｅｘ．ｈｔｍｌ＃ｈ２１１）。
【考案の概要】
【考案が解決しようとする課題】
【０００５】  しかし、この表裏面が透明シートで形成されたＩＤカードケースでは、安全上の問題があった。首から下げたＩＤカードケースの向きは変わりやすい。ケースの向きが変わったとき、小銭等ケース内に入れた物が他人に見えてしまい問題である。【０００６】  そこで、本考案は、ケースの向きが変わったときにも、ケース内に入れた物が見えないＩＤカードケースを提供することを目的とするものである。
【課題を解決するための手段】
【０００７】  本考案は、ＩＤカード装入部のＩＤカード非表示面側と物入れ部とが向き合うように折りたたんで配置されるＩＤカードケースにおいて、物入れ部がＩＤカード装入部側に面した側に開口を備えるものである。
【考案の効果】
【０００８】  上記特徴を備えた物入れ部に、物を入れることにより、ケースの向きが変わっても、中に入れた物を他人に見られることがないので、安全上の問題が無くなる。
【図面の簡単な説明】
【０００９】
【図１】ＩＤカード表示面側から見たＩＤカードケースの図である。
【図２】ケース折りたたみ部を開いた状態で、物入れ部の開口を備えた側と、ＩＤカード装入部のＩＤカード非表示面側とを見た図である。
【図３】縫製前のＩＤカードケース部材を、縫製後外側とならない方向から見た図である。
【考案を実施するための形態】
【００１０】  ＩＤカードケース装入部のＩＤカード非表示面側と、物入れ部の開口を備えた側とを面して向かい合わせて二つ折りにされたＩＤカードケースを、ケース折りたたみ部で開く。ＩＤカード装入部に身分証明書を入れる。身分証明書の他人に表示すべき情報が表示されている面が、ＩＤカード表示面側に向くように、身分証明書を入れる。
【００１１】  物入れ部に、開口から小銭・メモ内容を記した紙片等を入れる。ＩＤカード装入部のＩＤカード非表示面側と、物入れ部の開口を備えた側とを面して向かい合わせて、ＩＤカードケースを折りたたみ、ＩＤカードケースを携帯する。
【実施例】
【００１２】  図１に示す状態で、ＩＤケース側吊り下げ穴２３と物入れ部側吊り下げ穴３３とを貫通するように、吊り下げ紐を通して、ＩＤカードケース１０を使用した。【００１３】  図２に示すように、ＩＤカード装入部２０のＩＤカード非表示面側と、物入れ部３０の開口３８を備えた側とが面して向き合って折りたたまれているＩＤカードケース１０を開けた。開口３８より、紙幣とメモを記した紙片とを装入し、ＩＤカードケース１０を閉じ、元の状態とした。【００１４】  上記状態で、ＩＤカードケース１０を首から下げて使用した。使用中に、ＩＤカードケース１０のＩＤカード表示面側ＩＤカード装入部２２が使用者の身体側に向き、身体側物入れ部３２が他人から認識される状態になった。他人が、物入れ部３０内の紙幣と紙片に気づくことはなかった。安全上の問題が生じることは避けられた。【００１５】  図３に示す縫製前のＩＤカードケース部材を用いて、ＩＤカードケース１０を作成した。図３では、完成時に外側となる面が、紙面下側である。
窓部を備えたＩＤカード表示面側ＩＤカード装入部２２に、透明シート２４を貼り付けた。
次に、ＩＤカード非表示面側ＩＤカード装入部２１をＩＤカード装入部側折り目２５の位置で谷折りし、ＩＤカード表示面側ＩＤカード装入部２２と重ね合わせた。重ね合わせた状態で、ＩＤカード部縫い目（Ａ）２６とＩＤカード部縫い目（Ｂ）２７との位置を縫い含わせた。【００１６】  ＩＤカード装入部側物入れ部３１を物入れ部折り目３５の位置で谷折りし、身体側物入れ部３２と重ね合わせた。重ね合わせた状態で、物入れ部縫い目（Ａ）３６と物入れ部縫い目（Ｂ）３７との位置を縫い合わせた。この縫い合わせにより、開口３８を備えた物入れ部３０を形成した。
その後、ケース折りたたみ部１２の位置を谷折りし、ＩＤカードケース１０を完成させた。これにより、物入れ部３０が備える開口３８は、ＩＤカード装入部２０のＩＤカード非表示面側ＩＤカード装入部２１と面して向き合うように折りたたまれた。
本実施例では、物入れ部３０の空間を形成するために、身体側物入れ部３２とＩＤカード装入部側物入れ部３１とを縫い合わせたが、接着・ホチキス留め等その他の方法で物入れ部３０の空間を形成しても良い。
【符号の説明】
【００１７】１０  ＩＤカードケース
１２  ケース折りたたみ部
２０  ＩＤカード装入部
２１  ＩＤカード非表示面側ＩＤカード装入部
２２  ＩＤカード表示面側ＩＤカード装入部
２３  ＩＤカード部側吊り下げ穴
２４  透明シート
２５  ＩＤカード装入部折り目
２６  ＩＤカード装入部縫い目（Ａ）
２７  ＩＤカード装入部縫い目（Ｂ）
３０  物入れ部
３１  ＩＤカード装入部側物入れ部
３２  身体側物入れ部
３３  物入れ部側吊り下げ穴
３５  物入れ部折り目
３６  物入れ部縫い目（Ａ）
３７  物入れ部縫い目（Ｂ）
３８  開口
【図１】
0003172801.tif 000003
【図２】
0003172801.tif 000004
【図３】
0003172801.tif 000005
(57)【要約】      （修正有）【課題】小型で設置も容易な太陽光線集光装置を提供する。【解決手段】第１の凸レンズ１と、第１の凸レンズ１から出た光線を受けるより小さな第２の凸レンズ２を備え、第２の凸レンズ２は第１の凸レンズ１通った太陽光線が結ばれる焦点１０よりも離れた位置に配置されており、第１の凸レンズ１で集約された太陽光線を平行若しくは平行近くに戻して、直接又は反射鏡３を介して集光部４に導く。凸レンズ１とさらに小さな凸レンズ２とをセットにし、それを複数セット用いて反射鏡３を介して集光部４に集光させることもできる。個々の凸レンズ１とさらに小さな凸レンズ２は大きくする必要はなく、比較的小さなものを複数セット用いることにより広範囲の太陽光線を集めることができる。【選択図】図１
0003172804.tif 000002
【実用新案登録請求の範囲】
【請求項１】
第１の凸レンズと、第１の凸レンズから出た光線を受けるより小さな第２の凸レンズを備え、第２の凸レンズは第１の凸レンズ通った太陽光線が結ばれる焦点よりも離れた位置に配置されており、第１の凸レンズで集約された太陽光線を平行若しくは平行近くに戻して、直接又は反射鏡を介して集光部に導くことを特徴とする太陽光線集光装置。
【考案の詳細な説明】
【技術分野】
【０００１】  本考案は、比較的小規模な装置で太陽光を集めて有効利用するための太陽光線集光装置に関するものである。
【背景技術】
【０００２】  近年、エネルギーの有効活用、環境保護の点から太陽光線を有効に利用することが求められている。太陽光線を効率的に利用するためには、太陽光線を集めて強い光線とすることが望ましい。太陽光線を集める手段としては凸レンズを用いることが知られている。これによれば太陽光線を１点に集中させるように集めることができる。
【先行技術文献】
【特許文献】
【０００３】
【特許文献１】  特開平７−２９７４４１号公報
【考案の概要】
【考案が解決しようとする課題】
【０００４】  しかしながら、凸レンズのみで太陽光線を集めて太陽熱発電等を行おうとすると、巨大な凸レンズが必要となる。また、凸レンズの設置場所と光線が集まる焦点との間も大きく離さなくてはならず、装置自体が大規模になってしまうという問題がある。そこで、本考案は太陽光線を集光して容易に利用できる小型の装置を得ることを課題とする。
【課題を解決するための手段】
【０００５】  本考案の太陽光線集光装置は、第１の凸レンズ（１）と、第１の凸レンズ（１）から出た光線を受けるより小さな第２の凸レンズ（２）を備え、第２の凸レンズ（２）は第１の凸レンズ（１）通った太陽光線が結ばれる焦点（１０）よりも離れた位置に配置されており、第１の凸レンズ（１）で集約された太陽光線を平行若しくは平行近くに戻して、直接又は反射鏡（３）を介して集光部（４）に導くことを特徴とする。
【考案の効果】
【０００６】  本考案によれば、小型の装置により効率的に太陽光線を集光して利用することができる。狭いスペースにも設置できるため、設置場所の自由度は高い。
【図面の簡単な説明】
【０００７】
【図１】  図１は本考案の原理を説明した図である。
【考案を実施するための形態】
【０００８】  以下、本考案を好適な実施例を用いて説明する。
【実施例１】
【０００９】  図１は本考案の原理を説明した図であり、同図において（１）は第１の凸レンズ、（２）は第２の凸レンズであり、第１の凸レンズ（１）よりも小さな凸レンズである。【００１０】  太陽光線は凸レンズ（１）により狭い範囲に集められる。凸レンズ（１）の焦点（１０）より少し先には凸レンズ（１）より小さな凸レンズ（２）が配されている。【００１１】  凸レンズ（１）で集められた光線は焦点で交差した後、より小さな凸レンズ（２）に入る。凸レンズ（２）を通った光線は平行又は平行近くに集約された太陽光線となる。【００１２】  この強くなった太陽光線を集光部（４）において利用する。集光部（４）としては太陽熱発電装置、太陽光発電装置、加熱装置、照明装置等が考えられる。【００１３】  凸レンズ（２）からの光線は直接集光部（４）に照射するようにしても良いが、反射鏡（３）で反射させることにより集光部（４）に導いても良い。【００１４】  凸レンズ（１）とさらに小さな凸レンズ（２）とをセットにし、それを複数セット用いて反射鏡（３）を介して集光部（４）に集光させることもできる。個々の凸レンズ（１）とさらに小さな凸レンズ（２）は大きくする必要はなく、比較的小さなものを複数セット用いることにより広範囲の太陽光線を集めることができる。【００１５】  本考案の太陽光線集光装置は従来のような巨大なレンズを必要せず、比較的小さな凸レンズ（１）、さらに小さな凸レンズ（２）を組み合わせた小型の装置なので大きな設置スペースを必要としない。そのため、民家の屋上のみならず、ビルの壁面や空き地等に並べて設置することもできる。更に凸・さらに小さい凸レンズ・反射光の向きを自動で瞬時に制御できれば、海上に浮かべて利用することも考えられる。
【産業上の利用可能性】
【００１６】  本装置によって集めた強い太陽光線は、太陽光発電や太陽熱発電に利用できる。又、太陽光線を用いた加熱装置や照明装置にも利用することができる。
【符号の説明】
【００１７】  １    凸レンズ（第１の凸レンズ）
２    さらに小さい凸レンズ（第２の凸レンズ）
３    反射鏡
４    集光部
１０  焦点
【図１】
0003172804.tif 000003
(57)【要約】      （修正有）【課題】建設現場事務所等において、壁面がコンクリート製の為ヘルメットボードが使用できない時に有効なヘル帯スタンドを提供する。【解決手段】床置きき型とし、底板と支柱数本固定され支柱には下向きに等間隔の高さにホールド棒が底板中心線方向に向けて取り付けられ、前面側左右の支柱のホールド棒同士隙間なく接近し、支柱上部には連結棒で各支柱間固定されて、前面側の辺の連結棒にはフックなしが、他の辺はフック付が取り付けられている。底板の下面にはアジャスター用ナットが固定されている。【選択図】図４
0003172803.tif 000002
【実用新案登録請求の範囲】
【請求項１】
底板に支柱が固定され、各支柱からホールド棒が下向きに数段最適高さ間隔に、底板中心線方向に取り付けられ、前面側左右の支柱から延びるホールド棒同士、隙間なく接近している、各支柱上部連結棒で固定された、ヘル帯スタンド。
【請求項２】
さらに前記連結棒にフックを設けた請求項１に記載のヘル帯スタンド
【請求項３】
更に前記ホールド棒は下向きで数段折れに成っていて、最後の段は水平に近い、傾きである事を特徴とする請求項１又２に記載のヘル帯スタンド。
【考案の詳細な説明】
【技術分野】
【０００１】  ほん実用新案は保護帽や高所転落防止安全帯の収納に関するものである。
【背景技術】
【０００２】  従来建設現場等で使用する保護帽や高所転落防止安全帯の保管方法は部屋の壁面に取り付けた、壁掛け保管具に収納していた。
【先行技術文献】
【特許文献】
【０００３】
【特許文献１】実全昭５８−１９１８９０
【非特許文献】
【０００４】
【考案の概要】
【考案が解決しようとする課題】
【０００５】  最近の建設現場事務所は賃貸のアパートやマンションを利用するケースが多くなり壁面がコンクリート製の為、ヘルメットボードを取り付けるビスや釘が使えないのでで困っていました。
【課題を解決するための手段】
【０００６】  床置き型とし、多角形の底板と数本の支柱がビスで固定され、支柱には上下等間隔にホールド棒が多角形の底板中心方向に向けて取り付けられ、下向きに２段折れの角度で支柱に取り付けられている。
各々の支柱上部と連結棒はビスで固定され、連結棒にはフックが取り付けられている。
以上の構成よりなるヘル帯スタンド。
【考案の効果】
【０００７】今までは事務所内のあちこちに置かれていたヘルメットや安全帯が１箇所に整然とかたづけられ、出入り口付近の空きスペースが有効利用され、快適に保管出来るようになった。
【図面の簡単な説明】
【０００８】
【図１】正面図
【図２】背面図
【図３】右側面図
【図４】参考図
【図５】平面図
【図６】底面図
【考案を実施するための形態】
【０００９】（イ）底板（１）は多角形を成し上面に支柱が数本取り付けられるよう、ビス穴設けられ、下面には高さ調節用のアジャスター取り付けナット（２）が固定されている。
また転倒防止穴（３）が底板外側に数個設けられている。
（ロ）支柱の底部には数個ビス穴の開いた部材（４）が固定されている。ボールド棒（５）が上下等間隔に支柱に取り付けら、保護帽が出し入れ出来る最短の間隔である．
（ハ）保護帽の顎紐等内成品が出し入れに支障のないよう前面側、２本の支柱に取り付けられたホールド棒同士の手前側の間隔は隙間を極力少なく設ける。
ホールド棒の支柱取り付け角度は下向きとし、２段目は１段目より水平近くに曲げる。取り付け向きはホールド棒、扇型内角の２分の１の延長線が底板の中心方向にする。保護帽は内成品側を下に収納する。
（ニ）支柱の上部には両端ビス穴の開いたブラケット（６）が支柱に取り付けられている。
（ホ）そのビス穴と両端ビス穴の開いた連結棒（７）が数本の支柱間に連結されている。
（ヘ）数本の連結棒の内、全面側保護帽出し入れ口の辺の連結棒はフックなしを取りつけ、他の辺は数個のフックの付いた連結棒を取り付け、高所転落防止安全帯（８）等を引っ掛け保管する。
【符号の説明】
【００１０】    （１）底板
（２）アジャスター取り付けナット
（３）転倒防止穴
（４）部材
（５）ホールド棒
（６）ブラケット
（７）連結棒
（８）高所転落防止安全帯
【図１】
0003172803.tif 000003
【図２】
0003172803.tif 000004
【図３】
0003172803.tif 000005
【図４】
0003172803.tif 000006
【図５】
0003172803.tif 000007
【図６】
0003172803.tif 000008
(57)【要約】      （修正有）【課題】ＬＥＤの点光源性の改善とランプ背面を含め効率的に光を拡散させる様にし、かつランプの軽量化、放熱性能向上を図った直管型ＬＥＤランプを提供する。【解決手段】直管形ＬＥＤユニット１は、一定間隔でＬＥＤの光源２と凹面状のリフレクタ３を向かい合わせで配置している。片側の光源からのほぼ直進の光は、反対側の凹面状リフレクタにより広範囲に反射する。この光は管５の周囲３６０°に拡散する。ＬＥＤの実装面４は管５の内側面に接しているので、管５が放熱のための、ヒートシンクとして働く。なお、リフレクタの形状と間隔の長さは、適切な光の反射が行われるように調整を計る。【選択図】図１
0003172806.tif 000002
【実用新案登録請求の範囲】
【請求項１】
直管ランプの長尺方向に対して垂直に、一定間隔でＬＥＤ光源と凹面状のリフレクタを向かい合わせに配置する形状の直管形ＬＥＤランプ
【考案の詳細な説明】
【技術分野】
【０００１】  本考案は、発光ダイオード（以下ＬＥＤ）を用いた照明ランプに関する。
【背景技術】
【０００２】  従来のＬＥＤを用いた直管形ランプは、ＬＥＤ光源を長尺方向と平行に縦列状に実装し、反射面（以下リフレクタ）は、光源実装部分の背面に配置していた。（特許文献１、同２）
【先行技術文献】
【特許文献】
【０００３】
【特許文献１】  特許番号  ３９２９８８５
【０００４】
【特許文献２】  特許番号  ４０３７８５７
【考案の開示】
【考案が解決しようとする課題】
【０００５】  しかし、これでは、ＬＥＤ光源の実装部分の背面は全く照射されない。すなわち、直管形蛍光灯ランプが長尺方向の周囲３６０°を照射できるのに対して、直管形ＬＥＤランプは照射角が１８０°以下に狭くなるため、広範囲を照射するのには不利であり、ＬＥＤそのものの点光源性・光の直進性の為に、照射部分と照射されない部分の差が大きくなってしまう。【０００５】  また、面光源性・光の拡散を得るために、発光ダイオードを多数使用する事になり、蛍光灯に比べて高価な物になり、発熱量も増え、省電力性も犠牲になっている。ＬＥＤ実装面が長尺のほぼ全面にわたるため、管内に空間が少なくなるので、放熱の効率が悪く、放熱の為のヒートシンクなども必要となり、それらの結果、重量も増加してしまう。
【背景技術】
【０００７】  ランプの光源面の前面に対して、電灯器具側においてリフレクタを設置して、ランプの背面を照射する考案（特許文献３）もあるが、ランプそのものの放熱の対策・重量の軽量化への対策にはなっていない。【０００８】  ランプ管内において、ＬＥＤ光源実装面を角度をつけて配置する事で照射範囲を広げる考案（特許文献５）もあるが、ランプの放熱性向上・重量の軽量化の効果はない。【０００９】  ランプ管の両端に発光ダイオードの光源を配置する考案（特許文献６）もあるが、この場合、長尺方向に長くなると、その中央部分での十分な照度を得られない為、短いもの以外、現在ほとんど製品化されていない。
【先行技術文献】
【特許文献】
【００１０】
【特許文献３】  特許公開  ２０１１−９６６１４号  広報
【００１２】
【特許文献４】  登録実用新案  ３１５５０４２
【００１１】
【特許文献５】  登録実用新案  ３１５３２７８
【００１２】
【特許文献６】  登録実用新案  ３１３５２５６
【課題を解決する手段】
【００１３】  そこで、直管ランプの長尺方向に対して垂直（天井への直管ランプの取り付け状態においては、鉛直）に一定間隔でＬＥＤ光源と凹面状のリフレクタを向かい合わせに配置する形状の直管形ＬＥＤランプ（図１−１）を考案した。間隔ごとに、それぞれのＬＥＤ光源からの光を、その正面にある凹面状のリフレクタの反射によって、拡散させる事ができる。
【考案の効果】
【００１４】  この事により、光を管の長尺方向の周囲３６０°に拡散する事が可能になり、１光源あたりの照射範囲が従来のものよりも格段に広範囲となる。よって、使用するＬＥＤの数を滅らす事が可能になり、経済性・省電力性に貢献する事が可能になる。また、各ＬＥＤ光源とリフレクタの実装面は管の内側面に接しており、管そのものが放熱のヒートシンクとして働くので、放熱性が向上し、管内部はほぼ中空になっているため、軽量化が図られる。
【考案を実施するための最良の形態】
【００１５】  本考案に係る直管形ＬＥＤユニット１は、図１に示すように、一定間隔でＬＥＤの光源２と凹面状のリフレクタ３を向かい合わせで配置している。図２に示すように、片側の光源からのほぼ直進の光は、反対側の凹面状リフレクタにより広範囲に反射する。この光は管５の周囲３６０°に拡散する。ＬＥＤの実装面４は管５の内側面に接しているので、管５が放熱のための、ヒートシンクとして働く。なお、リフレクタの形状と間隔の長さは、適切な光の反射が行われるように調整を計る。
【図面の簡単な説明】
【００１６】
【図１】  本考案に係る直管形ＬＥＤランプの一部分の縦断面図である。（管内配線は省略している。管内配線は、直列・並列・直並列方式を、管の長さ・ＬＥＤの数・ランプの使用目的等に応じて、適宜使用する。）
【図２】  本考案に係る直管形ＬＥＤランプの全体の断面図である。
【符号の説明】
【００１７】１          鉛直反射式直管形ＬＥＤランプ
２          ＬＥＤ光源
３          凹面のリフレクタ
４          ＬＥＤ実装面
５          透明または半透明の管
６          エンドキャップ
７          ＪＥＬ−９０１によるＬ形ピン口金  ＧＸ１６ｔ−５（非特許文献１）
８          光の軌跡の例
【先行技術文献】
【００１８】
【非特許文献１】  日本電球工業会規格  ９０１  ２０１０年１２月３日改正
【図１】
0003172806.tif 000003
【図２】
0003172806.tif 000004
(57)【要約】      （修正有）【課題】デザイン性の向上を図るとともに、使用感を向上させ、顔に塗布した化粧品や保湿剤アフターケア品が枕に付着することを防止する化粧崩れ防止枕を提供する。【解決手段】側面形状において中央部が隆起してなる湾曲状底板の上面に、可撓性を有しない平板状枕板を載置し、この平板状枕板の頭部載置面における、頭頂部に対応する側の上辺部付近に、平板状枕板の横幅方向に延伸するストッパ用隆起体を形成する。【選択図】図１
0003172890.tif 000002
【実用新案登録請求の範囲】
【請求項１】
側面形状において中央部が隆起してなる湾曲状底板の上面に、可撓性を有しない平板状枕板を載置し、この平板状枕板の頭部載置面における、頭頂部に対応する側の上辺部付近に、平板状枕板の横幅方向に延伸するストッパ用隆起体を形成したことを特徴とする化粧崩れ防止枕。
【請求項２】
平板状枕板の横幅寸法を、枕使用者の頭部幅寸法の１〜２倍の比率になるように形成したことを特徴とする請求項１記載の化粧崩れ防止枕。
【請求項３】
ストッパ用隆起体の側面形状が半円弧状であることを特徴とする請求項１又は２記載の化粧崩れ防止枕。
【考案の詳細な説明】
【技術分野】
【０００１】
本考案は、顔に化粧用パックを塗布したり、美容液などを塗布した際に使用する化粧崩れ防止枕に関する。ここで化粧崩れとは、顔に塗布した化粧品や保湿剤アフターケア品が枕に付着する状態のことを意味する。
【背景技術】
【０００２】
従来より、就寝時に使用する各種の枕が知られており、枕の芯材を柔軟性のあるものから硬いものまで種々準備したものが存在し、その中には化粧崩れの防止効果を狙ったものも存在している（特許文献１参照）。
【特許文献１】特開２００６−１３６６７７号公報
【考案の開示】
【考案が解決しようとする課題】
【０００３】
ところで、上記した特許文献１に示す枕の形状は、スポンジ素材のような枕にくぼみを設け、そのくぼみに後頭部を納めることで睡眠中顔が横を向かないように規制し、同様に顔が上方に滑り出さないようにしている。
そのため、後頭部が上記のくぼみに満ったりと納まってしまい、顔を左右に自然転動させることや、上方に少し摺動させるというような微妙な動きまでもが規制されてしまうため、使用者は窮屈感を感じたり、さらには自然の通気も妨げられるため後頭部周辺が蒸れて不快になるなどの課題があった。
【０００４】
本考案の目的は、枕としてのデザイン性の向上を図るとともに、その使用感を向上させ、もちろん目的とする顔に塗布した化粧品や保湿剤アフターケア品が枕に付着するという化粧崩れの防止が図られる枕を提供せんとするものである。
【課題を解決するための手段】
【０００５】
前記課題を解決するために、請求項１に記載の考案は、側面形状において中央部が隆起してなる湾曲状底板の上面に、可撓性を有しない平板状枕板を載置し、この平板状枕板の頭部載置面における、頭頂部に対応する側の上辺部付近に、平板状枕板の横幅方向に延伸するストッパ用隆起体を形成したことを特徴とする化粧崩れ防止枕である。
【０００６】
請求項２に記載の考案は、平板状枕板の横幅寸法を、枕使用者の頭部幅寸法の１〜２倍の比率になるように形成したことを特徴とする請求項１記載の化粧崩れ防止枕である。
【０００７】
請求項３に記載の考案は、ストッパ用隆起体の側面形状が半円弧状であることを特徴とする請求項１又は２記載の化粧崩れ防止枕である。
【考案の効果】
【０００８】
上記の請求項１乃至３の考案によれば、顔に化粧パックや、その他の化粧品を塗布したり貼設した状態で枕を使用した場合に、平板状枕板は沈み込むことがないため化粧品が平板状枕板に接触することが防止され、また平板状枕板の横幅寸法が小寸に形成されることから顔を横に向けても化粧品が平板状枕板に接触することが防止され、さらにはストッパ用隆起体の存在により頭部が平板状枕板の上辺部より上方に滑り落ちることが抑えられ、これにより枕使用時の化粧崩れの防止が図られるという効果がある。
【０００９】
さらに、この化粧崩れ防止枕は、外形がシンプルで体裁が良く、全体を木製などで形成すると手触りが良く、使い易いものとなるという効果がある。
【図面の簡単な説明】
【００１０】
【図１】本考案に係る化粧崩れ防止枕の斜視図である。
【図２】前図のＡ−Ａ線断面図である。
【考案を実施するための形態】
【００１１】
以下添付図面に基づいて、本考案に係る化粧崩れ防止枕の一実施の形態を詳説するが、本考案はこれらの実施の形態に制限されるものではない。
図１及び図２に示されるごとく、本考案の化粧崩れ防止枕１は全体が硬質の素材、例えば木材、金属材、合成樹脂材などで形成可能であるが、特に木材を使用すると手触り、肌触りの点で優れたものとなる。
まず側面形状において中央部が隆起してなる湾曲状底板２の上面に、可撓性を有しない平板状枕板５を載置している。
【００１２】
湾曲状底板２は中央部が隆起し、その上辺部３及び下辺部４が床面（又は敷布団面）に、側面から見て二点支持状態で接触するため、全体が平滑面に形成した底板と比較して滑りにくいという特徴がある。
【００１３】
この湾曲状底板２の上面には、可撓性を有しない平板状枕板５が載置され、この平板状枕板５の上面が頭部載置面となる。平板状枕板５の厚さ寸法が不足する場合には、必要に応じて高さ確保用の下駄材６を、湾曲状底板２と平板状枕板５間に介在させることも可能である。
【００１４】
この平板状枕板５の頭部載置面における、頭頂部に対応する側の上辺部７付近には、平板状枕板５の横幅方向に延伸するストッパ用隆起体８が形成されている。
このストッパ用隆起体８は、使用者の頭部が平板状枕板５の上辺部７より上方に滑り落ちることを抑え、睡眠中に不用意に頭部が化粧崩れ防止枕１から上方に外れるという事態を防止している。
【００１５】
ストッパ用隆起体８の形状は特に制限されるものではないが、その側面形状を半円弧状に形成すると、接触面が柔らかな当たりとなるので、使用性が向上するという特徴がある。
【００１６】
また平板状枕板５の横幅寸法を、枕使用者の頭部幅寸法の１〜２倍の比率になるように形成すると、平板状枕板５の横幅寸法が大きくなり過ぎることがなく、かつ枕使用時に顔を横に向けた際に、化粧料が平板状枕板５に付着しない特徴がある。
【産業上の利用可能性】
【００１７】
本考案の化粧崩れ防止枕は、就寝時に化粧用パック、その他の化粧料を顔に塗布する人々にとって、顔に塗布した化粧品や保湿剤アフターケア品が枕に付着するという化粧崩れを防止することが出来るので重宝に利用することが可能である。
【符号の説明】
【００１８】
１ …化粧崩れ防止枕
２ …湾曲状底板
３ …湾曲状底板の上辺部
４ …湾曲状底板の下辺部
５ …平板状枕板
６ …下駄材
７ …平板状枕板の上辺部
８ …ストッパ用隆起体
【図１】
0003172890.tif 000003
【図２】
0003172890.tif 000004
(57)【要約】【課題】身体弱者が体を預けて基本走行でき、比較的安全でありながら、（基本走行方向に対して）直角な方向にもキャリーとして走行移動させることができる手押車を提供する。【解決手段】荷物を載置するベース盤１と、ベース盤１から上方へ突設したハンドル部とを有すると共に、ベース盤１の４角部３に４個の車輪４を付設した手押車に於て、４個の車輪４の内の１個は鉛直軸心廻りに不回転固定構造とした固定輪５、残りの３個は鉛直軸心廻りに回転自在な旋回輪６とする。基本走行方向Ａを前方とした場合、後方の位置の一角位置に、固定構造の固定輪５を配設する。【選択図】図３
0003172828.tif 000002
【実用新案登録請求の範囲】
【請求項１】
荷物（Ｘ）を載置するベース盤（１）と、該ベース盤（１）から上方へ突設したハンドル部（２）とを有すると共に、上記ベース盤（１）の４角部（３）に４個の車輪（４）を付設した手押車に於て、４個の上記車輪（４）の内の１個は鉛直軸心廻りに不回転固定構造とした固定輪（５）、残りの３個は鉛直軸心廻りに回転自在な旋回輪（６）としたことを特徴とする手押車。
【請求項２】
基本走行方向（Ａ）を前方とした場合、後方の位置の一角位置に、固定構造の上記固定輪（５）を配設した請求項１記載の手押車。
【請求項３】
上記固定輪（５）が配設された左右の一側の前方角部の上記旋回輪（６）を、固定に切換可能とするための切換機構（８）を付設した請求項１又は２記載の手押車。
【考案の詳細な説明】
【技術分野】
【０００１】
本考案は、手押車に関する。
【背景技術】
【０００２】
従来、ベース盤の下面の４角部に４個の車輪を付設した手押車が公知である（例えば、特許文献１参照）。
【０００３】
しかし、４個の車輪の全てが鉛直軸心廻りに回転自在な旋回輪のものは、高齢者や身体弱者等が杖代わりに寄りかかった場合、不意に移動して転倒等の危険性があるという欠点があった。また、図５に示すように基本走行方向ａに対して後ろ側に配設された２個の車輪20を鉛直軸心廻りに不回転固定構造とした固定輪25とし、前側に配設された２個の車輪20を鉛直軸心廻りに回転自在な旋回輪26としたものもあるが、この手押車は、基本走行方向ａに対して直角な方向（左右方向）ｂに移動させることができなかった。
【先行技術文献】
【特許文献】
【０００４】
【特許文献１】特開２００４−７３５３４号公報
【考案の概要】
【考案が解決しようとする課題】
【０００５】
解決しようとする課題は、杖代わりにした際に不意に移動して危険な点である。また、基本走行方向に対して直角な方向に移動させることができない点である。
【課題を解決するための手段】
【０００６】
そこで、本考案に係る手押車は、荷物を載置するベース盤と、該ベース盤から上方へ突設したハンドル部とを有すると共に、上記ベース盤の４角部に４個の車輪を付設した手押車に於て、４個の上記車輪の内の１個は鉛直軸心廻りに不回転固定構造とした固定輪、残りの３個は鉛直軸心廻りに回転自在な旋回輪としたものである。
また、基本走行方向を前方とした場合、後方の位置の一角位置に、固定構造の上記固定輪を配設したものである。
また、上記固定輪が配設された左右の一側の前方角部の上記旋回輪を、固定に切換可能とするための切換機構を付設したものである。
【考案の効果】
【０００７】
本考案の手押車によれば、身体弱者が体を預けながら比較的安全に前方（基本）走行させることができ、しかも、基本走行方向に対して直角な方向にも（キャリーとして）走行移動させることができる。
【図面の簡単な説明】
【０００８】
【図１】本考案の実施の一形態を示す正面図である。
【図２】側面図である。
【図３】底面図である。
【図４】使用状態説明図である。
【図５】従来例を示す底面図である。
【考案を実施するための形態】
【０００９】
図１〜図３は、本考案の実施の一形態を示す。この手押車は、荷物Ｘを載置するベース盤１と、ベース盤１から上方へ突設したハンドル部２とを有すると共に、ベース盤１の４角部３に４個の車輪４が付設されている。直立姿勢で、カートとして、図２・図３の前方向（基本走行方向Ａ）に進行させることができるとともに、図４に示すように、左右一側方へ傾けた状態でキャリーとして使用する（走行させる）こともできる。すなわち、基本走行方向Ａに対して、（図３・図４に示すように）直角な方向Ｂにも走行移動させることができ、いわゆるキャリーとしても使用できる。
【００１０】
４個の車輪４の内の１個は鉛直軸心廻りに不回転固定構造とした固定輪５、残りの３個は鉛直軸心廻りに回転自在な旋回輪６である。具体的には、基本走行方向Ａを前方とした場合、後方の位置の一角位置に、固定構造の固定輪５が配設されている。この固定輪５には、ブレーキ機構７を付設して、手動で走行を制御するようにしている。
【００１１】
また、固定輪５が配設された左右の一側の前方角部の旋回輪６を、鉛直軸心廻りに回転しないように、固定に切換可能な切換機構８が付設されている。
【００１２】
なお、本考案は、設計変更可能であって、例えば、ハンドル部２を左右方向の中央部に配設するも良い。また、ベース盤１の上にあらかじめバッグ（図示省略）を固着した構成とするも良い。
【００１３】
以上のように、本考案は、荷物Ｘを載置するベース盤１と、ベース盤１から上方へ突設したハンドル部２とを有すると共に、ベース盤１の４角部３に４個の車輪４を付設した手押車に於て、４個の車輪４の内の１個は鉛直軸心廻りに不回転固定構造とした固定輪５、残りの３個は鉛直軸心廻りに回転自在な旋回輪６としたので、直立姿勢でカートとして使用できる（基本走行方向Ａに走行させることができる）とともに、身体弱者が体を支えつつ歩く場合（杖代わりにした際）にも比較的安全でありながら、基本走行方向Ａに対して直角な方向（左右方向のうち固定輪５が配設されていない側への方向）Ｂにもキャリーとして走行移動させることができる。従って、使い易く、至便である。
また、基本走行方向Ａを前方とした場合、後方の位置の一角位置に、固定構造の固定輪５を配設したので、安定した直立姿勢で（カートとして）基本走行できる。かつ、必要に応じてスムースに曲がることができる。
また、固定輪５が配設された左右の一側の前方角部の旋回輪６を、固定に切換可能とするための切換機構８を付設したので、固定輪５が配設された左右の一側の前方角部の旋回輪６を固定に切換えると基本走行方向Ａに確実に安定して直進走行させることができる。
【符号の説明】
【００１４】
１  ベース盤
２  ハンドル部
３  ４角部
４  車輪
５  固定輪
６  旋回輪
８  切換機構
Ａ  基本走行方向
Ｘ  荷物
【図１】
0003172828.tif 000003
【図２】
0003172828.tif 000004
【図３】
0003172828.tif 000005
【図４】
0003172828.tif 000006
【図５】
0003172828.tif 000007